(57)【特許請求の範囲】
【請求項１】
連続転写媒体に画像を形成する画像形成部と、
連続転写媒体の搬送を行う搬送部と、
前記画像形成部による画像の形成と前記搬送部による搬送とを制御する制御部とを備え、
前記制御部は、前記連続転写媒体に検知用画像を形成する検知用画像形成機能と、前記連続転写媒体にマーク画像を形成するマーク形成機能と、を有し、
前記連続転写媒体に前記検知用画像と前記マーク画像とを形成する際に、前記検知用画像の搬送方向前方の先端形成位置に対し、前記マーク画像の形成位置を搬送方向前方の所定距離になるように設定し、
前記所定距離は、前記検知用画像を読み取る読取装置の仕様によって決定され、前記所定距離が上限によって定められており、
前記マーク画像が、前記連続転写媒体の切り取り情報を示すものであり、
前記マーク画像が、該マーク画像よりも検知用画像側で切り取りを示すものであり、
前記制御部は、前記マーク画像の形成とともに、前記マーク画像よりも検知用画像側で前記連続転写媒体の切り取りをするように注意を促す文字画像を前記連続転写媒体に形成することを特徴とする画像形成装置。
【請求項２】
前記制御部は、前記文字画像を前記マーク画像よりも搬送方向前方側に形成することを特徴とする請求項１記載の画像形成装置。
【請求項３】
連続転写媒体に画像を形成する画像形成部と、
連続転写媒体の搬送を行う搬送部と、
前記画像形成部による画像の形成と前記搬送部による搬送とを制御する制御部とを備え、
前記制御部は、前記連続転写媒体に検知用画像を形成する検知用画像形成機能と、前記連続転写媒体にマーク画像を形成するマーク形成機能と、を有し、
前記連続転写媒体に前記検知用画像と前記マーク画像とを形成する際に、前記検知用画像の搬送方向前方の先端形成位置に対し、前記マーク画像の形成位置を搬送方向前方の所定距離になるように設定し、
前記制御部は、前記検知用画像を主走査方向に沿って複数ページで前記連続転写媒体に形成する場合、最初のページの前記検知用画像に対し、前記所定距離で前記マーク画像を形成し、それよりも後の検知用画像のページで、前のページの検知用画像の後端側余白と、次のページの検知用画像の先端側の余白と、これらの検知用画像のページ間におけるページ画像出力画像間隔の合計値が、前記所定距離を満たすように設定することを特徴とする画像形成装置。
【請求項４】
前記制御部は、前記合計値が前記所定距離を超える場合、合計値が前記所定距離を満たすように次のページの検知用画像を搬送方向前方側に画像シフトすることを特徴とする請求項３記載の画像形成装置。
【請求項５】
連続転写媒体に画像を形成する画像形成部と、
連続転写媒体の搬送を行う搬送部と、
前記画像形成部による画像の形成と前記搬送部による搬送とを制御する制御部とを備え、
前記制御部は、前記連続転写媒体に検知用画像を形成する検知用画像形成機能と、前記連続転写媒体にマーク画像を形成するマーク形成機能と、を有し、
前記連続転写媒体に前記検知用画像と前記マーク画像とを形成する際に、前記検知用画像の搬送方向前方の先端形成位置に対し、前記マーク画像の形成位置を搬送方向前方の所定距離になるように設定し、
前記制御部は、前記検知用画像のページの搬送方向前方側にマーク画像のページを挿入し、前記マーク画像の形成位置が前記検知用画像に対し搬送方向前方の所定距離を超える場合、前記検知用画像に対し前記マーク画像の形成位置が所定距離を満たすように、前記検知用画像を搬送方向前方側に画像シフトすることを特徴とする画像形成装置。
【請求項６】
連続転写媒体に画像を形成する画像形成部と、
連続転写媒体の搬送を行う搬送部と、
前記画像形成部による画像の形成と前記搬送部による搬送とを制御する制御部とを備え、
前記制御部は、前記連続転写媒体に検知用画像を形成する検知用画像形成機能と、前記連続転写媒体にマーク画像を形成するマーク形成機能と、を有し、
前記連続転写媒体に前記検知用画像と前記マーク画像とを形成する際に、前記検知用画像の搬送方向前方の先端形成位置に対し、前記マーク画像の形成位置を搬送方向前方の所定距離になるように設定し、
操作部を有し、
前記制御部は、前記所定距離を、前記操作部を通して操作入力可能にすることを特徴とする画像形成装置。
【請求項７】
前記制御部は、前記検知用画像に搬送方向前端で前記所定距離を満たす長さの副走査方向の余白領域を挿入し、該余白領域に前記マーク画像を形成することを特徴とする請求項１〜６のいずれか１項に記載の画像形成装置。
【請求項８】
前記制御部は、前記マーク画像を、前記連続転写媒体の主走査方向画像サイズと同じ主走査長の画像により形成することを特徴とする請求項１〜７のいずれか１項に記載の画像形成装置。
【請求項９】
前記制御部は、前記マーク画像を前記連続転写媒体の主走査方向の余白部分にのみ形成することを特徴とする請求項１〜８のいずれか１項に記載の画像形成装置。
【請求項１０】
前記制御部は、前記マーク画像のデーターを前記検知用画像のデーターに重ね合わせて前記連続転写媒体に画像を形成することを特徴とする請求項１〜９のいずれか１項に記載の画像形成装置。
【請求項１１】
前記制御部は、前記検知用画像のページに前記マーク画像のページを付加して前記連続転写媒体に形成することを特徴とする請求項１〜１０のいずれか１項に記載の画像形成装置。
【請求項１２】
前記制御部は、前記マーク画像と副走査方向の余白領域とからなるページを付加して前記連続転写媒体に形成することを特徴とする請求項１〜１１のいずれか１項に記載の画像形成装置。
【発明の詳細な説明】
【技術分野】
【０００１】
この発明は、検知画像を連続転写媒体に形成して読取装置による読み取りを可能にする画像形成装置に関するものである。
【背景技術】
【０００２】
画像形成装置で印刷を行う際には、一般に、その装置に適合させた出力プロファイルや汎用的な出力プロファイルを用いて画像を形成している。
このような画像形成では、経時的な変化などによって濃度バランスが変わるなど、画像品質が変わるため、画質調整を定期枚数出力毎に定期的に行うなどの処理が行われている。
また、ユーザーの希望によるターゲットカラーや基準的なターゲットカラーによって印刷を行いたいという要望がある。このような要望に対しては、印刷目標とするカラープロファイルを取得し、このカラープロファイルに基づいて印刷したい画像を色変換して印刷を可能にする。この際に、印刷データーにカラープロファイルを適用してその結果が所定の範囲に入るように自動で画質調整が実施される。
【０００３】
上記画質調整を連続用紙において行う場合、測色チャートなどを外部の測色装置でスキャンする必要がある。測色装置で測色チャートを読み取るために、印字して巻き取った連続用紙から連続用紙の一部を切り取って測色を行うことが必要とされる。
特許文献１では、連続用紙に画像印刷後、断裁後処理ありの装置において、断裁位置マークを形成し、断裁後処理機は、断裁位置マークを検知した箇所で断裁、または一定時間マーク非検知の場合、定期間隔で自動断裁しており、連続用紙出力中に調整のためのパッチ出力を挟む場合、調整パッチによって次の印刷画像の断裁位置がずれるのを防ぐため、調整パッチに印刷する断裁マーク位置の間隔を適切に調整するものが提案されている。
【先行技術文献】
【特許文献】
【０００４】
【特許文献１】特開２００８−１６２１７０号公報
【発明の概要】
【発明が解決しようとする課題】
【０００５】
ところで、一般に、測色装置には許容している用紙先端の余白量（例えば、読取り基準点より８ｃｍ以内など）がある。このような測色装置で、これより長く余白があるとエラーになるものがある。つまり、測色装置に許容している余白量に収まるように、連続用紙から測色チャート紙を切り取る必要がある。
しかし、従来の装置で目測によって切り取りを行うと、切り取り位置が適正な位置にならず、エラーと判定される可能性があり、また、切り取りの都度、距離を測定しながら切り取りを行うとすると生産性が低下する問題がある。
また、特許文献では、断裁マーク位置を調整しているものの、次の印刷画像の断裁位置がずれるのを防ぐのが目的であって、本願発明の課題を解決することはできない。
【０００６】
本願発明は、上記事情を背景としてなされたものであり、検知画像に対するマーク画像を連続転写媒体の適切な位置に形成することができる画像形成装置に関するものである。
【課題を解決するための手段】
【０００７】
すなわち、本発明の画像形成装置のうち、第１の形態は、
連続転写媒体に画像を形成する画像形成部と、
連続転写媒体の搬送を行う搬送部と、
前記画像形成部による画像の形成と前記搬送部による搬送とを制御する制御部とを備え、
前記制御部は、前記連続転写媒体に検知用画像を形成する検知用画像形成機能と、前記連続転写媒体にマーク画像を形成するマーク形成機能と、を有し、
前記連続転写媒体に前記検知用画像と前記マーク画像とを形成する際に、前記検知用画像の搬送方向前方の先端形成位置に対し、前記マーク画像の形成位置を搬送方向前方の所定距離になるように設定し、
前記所定距離は、前記検知用画像を読み取る読取装置の仕様によって決定され、前記所定距離が上限によって定められており、
前記マーク画像が、前記連続転写媒体の切り取り情報を示すものであり、
前記マーク画像が、該マーク画像よりも検知用画像側で切り取りを示すものであり、
前記制御部は、前記マーク画像の形成とともに、前記マーク画像よりも検知用画像側で前記連続転写媒体の切り取りをするように注意を促す文字画像を前記連続転写媒体に形成することを特徴とする。
【００１２】
他の形態の画像形成装置の発明は、前記形態の発明において、前記制御部は、前記文字画像を前記マーク画像よりも搬送方向前方側に形成することを特徴とする。
【００１３】
他の形態の画像形成装置の発明は、連続転写媒体に画像を形成する画像形成部と、
連続転写媒体の搬送を行う搬送部と、
前記画像形成部による画像の形成と前記搬送部による搬送とを制御する制御部とを備え、
前記制御部は、前記連続転写媒体に検知用画像を形成する検知用画像形成機能と、前記連続転写媒体にマーク画像を形成するマーク形成機能と、を有し、
前記連続転写媒体に前記検知用画像と前記マーク画像とを形成する際に、前記検知用画像の搬送方向前方の先端形成位置に対し、前記マーク画像の形成位置を搬送方向前方の所定距離になるように設定し、
前記制御部は、前記検知用画像を主走査方向に沿って複数ページで前記連続転写媒体に形成する場合、最初のページの前記検知用画像に対し、前記所定距離で前記マーク画像を形成し、それよりも後の検知用画像のページで、前のページの検知用画像の後端側余白と、次のページの検知用画像の先端側の余白と、これらの検知用画像のページ間におけるページ画像出力画像間隔の合計値が、前記所定距離を満たすように設定することを特徴とする。
【００１４】
他の形態の画像形成装置の発明は、前記形態の発明において、前記制御部は、前記合計値が前記所定距離を超える場合、合計値が前記所定距離を満たすように次のページの検知用画像を搬送方向前方側に画像シフトすることを特徴とする。
【００１６】
他の形態の画像形成装置の発明は、連続転写媒体に画像を形成する画像形成部と、
連続転写媒体の搬送を行う搬送部と、
前記画像形成部による画像の形成と前記搬送部による搬送とを制御する制御部とを備え、
前記制御部は、前記連続転写媒体に検知用画像を形成する検知用画像形成機能と、前記連続転写媒体にマーク画像を形成するマーク形成機能と、を有し、
前記連続転写媒体に前記検知用画像と前記マーク画像とを形成する際に、前記検知用画像の搬送方向前方の先端形成位置に対し、前記マーク画像の形成位置を搬送方向前方の所定距離になるように設定し、
前記制御部は、前記検知用画像のページの搬送方向前方側にマーク画像のページを挿入し、前記マーク画像の形成位置が前記検知用画像に対し搬送方向前方の所定距離を超える場合、前記検知用画像に対し前記マーク画像の形成位置が所定距離を満たすように、前記検知用画像を搬送方向前方側に画像シフトすることを特徴とする。
【００１９】
他の形態の画像形成装置の発明は、連続転写媒体に画像を形成する画像形成部と、
連続転写媒体の搬送を行う搬送部と、
前記画像形成部による画像の形成と前記搬送部による搬送とを制御する制御部とを備え、
前記制御部は、前記連続転写媒体に検知用画像を形成する検知用画像形成機能と、前記連続転写媒体にマーク画像を形成するマーク形成機能と、を有し、
前記連続転写媒体に前記検知用画像と前記マーク画像とを形成する際に、前記検知用画像の搬送方向前方の先端形成位置に対し、前記マーク画像の形成位置を搬送方向前方の所定距離になるように設定し、
操作部を有し、
前記制御部は、前記所定距離を、前記操作部を通して操作入力可能にすることを特徴とする。
他の形態の画像形成装置の発明は、前記形態の発明において、前記制御部は、前記検知画像に搬送方向前端で前記所定距離を満たす長さの副走査方向の余白領域を挿入し、該余白領域に前記マーク画像を形成することを特徴とする。
他の形態の画像形成装置の発明は、前記形態の発明において、前記制御部は、前記マーク画像を、前記転写媒体の主走査方向画像サイズと同じ主走査長の画像により形成することを特徴とする。
他の形態の画像形成装置の発明は、前記形態の発明において、前記制御部は、前記マーク画像を前記転写媒体の主走査方向の余白部分にのみ形成することを特徴とする。
【００２０】
他の形態の画像形成装置の発明は、前記形態の発明において、前記制御部は、前記マーク画像のデーターを前記検知用画像のデーターに重ね合わせて前記連続転写媒体に画像を形成することを特徴とする。
【００２１】
他の形態の画像形成装置の発明は、前記形態の発明において、前記制御部は、前記検知用画像のページに前記マーク画像のページを付加して前記連続転写媒体に形成することを特徴とする。
【００２２】
他の形態の画像形成装置の発明は、前記形態の発明において、前記制御部は、前記マーク画像と副走査方向の余白領域とからなるページを付加して前記連続転写媒体に形成することを特徴とする。
【００２３】
本発明の画像形成方法の発明のうち、第１の形態は、搬送される連続転写媒体に検知用画像を形成する検知用画像形成ステップと、
搬送される前記転写媒体にマーク画像を形成するマーク画像形成ステップと、を有し、
検知用画像形成ステップとマーク画像形成ステップとでは、検知用画像の搬送方向前方の先端形成位置に対し、前記マーク画像の形成位置を搬送方向前方の所定距離になるように設定することを特徴とする。
【００２４】
本発明の画像形成方法の発明のうち、第２の形態は、搬送される連続転写媒体に検知用画像を形成させる検知用画像形成ステップと、
搬送される前記転写媒体にマーク画像を形成させるマーク画像形成ステップと、を有し、
検知用画像形成ステップとマーク画像形成ステップとでは、検知用画像の搬送方向前方の先端形成位置に対し、前記マーク画像の形成位置を搬送方向前方の所定距離になるように設定することを特徴とする。
【発明の効果】
【００２５】
すなわち、本発明によれば、マーク画像の形成位置を検知画像に対し適正な位置にすることができ、その都度測定作業などを必要とすることがなく操作を行うことができ生産性が向上する効果がある。
【図面の簡単な説明】
【００２６】
【図１】本発明の一実施形態における画像形成装置の機械的概略を示す図である。
【図２】同じく、画像形成装置を含む画像形成システムにおける電気的なブロック図を示す図である。
【図３】ロール紙に検知画像を形成した際の切り取り位置の制約を説明する図である。
【図４】同じく、次の検知画像における切り取り位置の制約を説明する図である。
【図５】検知画像を形成するロール紙に印刷する切り取り線画像を示す図である。
【図６】本発明の一実施形態において、ロール紙に形成した切り取り線画像および測色チャート画面を示す図である。
【図７】同じく、次の測色チャートにおける切り取り線画像と測色チャート画面を示す図である。
【図８】本発明の他の実施形態において使用される文字画像付きの切り取り線画像を示す図である。
【図９】同じく、ロール紙に形成した文字画像付きの切り取り線画像および測色チャート画面を示す図である。
【図１０】同じく、次の測色チャートにおける文字画像付き切り取り線画像と測色チャート画面を示す図である。
【図１１】本発明の他の実施形態において、最初の測色チャートに対し印刷される切り取り線画像と測色チャートを示す図である。
【図１２】同じく、次の測色チャートにおいて、切り取り線画像を印刷することなく、そのまま印刷された測色チャートを示す図である。
【図１３】同じく、次の測色チャートにおいて、切り取り線画像を印刷することなく、画像シフトを行って測色チャートを印刷する状態を説明する図である。
【図１４】本発明の他の実施形態において、測色チャートの搬送方向前方に所定距離の余白領域を追加して、この余白領域に切り取り線画像を印刷した図である。
【図１５】同じく、次の測色チャートにおいて、この測色チャートの搬送方向前方に所定距離の余白領域を追加して、この余白領域に切り取り線画像を印刷した図である。
【図１６】本発明の他の実施形態において、測色チャートのページに切り取り線画像のページを挿入して印刷する状態を説明する図である。
【図１７】同じく、次の測色チャートにおいて、測色チャートのページに切り取り線画像のページを挿入して印刷する状態を説明する図である。
【図１８】本発明の他の実施形態において、主走査方向の余白領域にのみ切り取り線画像を印刷したものを示す図である。
【図１９】同じく、次の測色チャートにおいて、主走査方向の余白領域にのみ切り取り線画像を印刷したものを示す図である。
【図２０】本発明の他の実施形態において、切り取り線画像の印字位置を調整する操作画面を示す図である。
【図２１】同じく、調整された印字位置によって切り取り線画像を印刷したものを示す図である。
【図２２】同じく、次の測色チャートにおいて、調整された印字位置によって切り取り線画像を印刷したものを示す図である。
【図２３】本発明の一実施形態における切り取り線画像を印刷する手順を示すフローチャートである。
【図２４】本発明の他の実施形態における切り取り線画像を印刷する手順を示すフローチャートである。
【図２５】本発明の他の実施形態における切り取り線画像を印刷する手順を示すフローチャートである。
【図２６】本発明の他の実施形態における切り取り線画像を印刷する手順を示すフローチャートである。
【図２７】本発明の他の実施形態における切り取り線画像を印刷する手順を示すフローチャートである。
【図２８】本発明の他の実施形態における切り取り線画像を印刷する手順を示すフローチャートである。
【図２９】本発明の他の実施形態における切り取り線画像を印刷する手順を示すフローチャートである。
【発明を実施するための形態】
【００２７】
以下に、本発明の一実施形態を添付図面に基づいて説明する。
図１は、画像形成装置１の機械的概略を示すものである。
画像形成装置１は、画像形成部１３を有する装置本体１Ａを備え、装置本体１Ａの前段側には給紙調整部３００が接続され、給紙調整部３００の前段側に給紙装置２００が接続されている。なお、この実施形態では、連続用紙としてロール紙を使用しているが、連続用紙がロール紙に限定されるものではなく、用紙が連続しているものであればよく、連続伝票用紙、連続帳票用紙なども含まれる。連続用紙はロール状の形態で提供されるものでもよく、また、交互に畳まれた形態のものであってもよい。連続用紙は、本発明の連続転写媒体に相当する。連続転写媒体は、必ずしも紙であることが必須とされるものではない。
【００２８】
また、装置本体１Ａの用紙排出側には排紙調整部４００が接続され、排紙調整部４００の用紙排出側には巻取り装置５００が機械的、電気的に接続されている。また、これらの装置の外部装置として読取装置６００を有しており、読取装置６００には、測色計６０が設けられている。読取装置６００は、画像形成装置１に含まれるものであってもよく、また、画像形成装置１とは別の装置とするものであってもよい。
【００２９】
なお、この実施形態では、装置本体１Ａと、装置本体１Ａに接続された装置とによって画像形成装置１が構成されているものとして説明しているが、装置本体１Ａに接続される装置の種別や数が特に限定されるものではなく、また、装置本体１Ａのみによって画像形成装置が構成されているものであってもよい。その場合、装置本体１Ａをその他装置とともに画像形成システムを構成するものであってもよい。
【００３０】
給紙装置２００は、連続用紙としてのロール紙Ｓを収納、保持し、給紙する機能を有する。
給紙調整部３００は、給紙装置２００と装置本体１Ａとの間の微小な速度差および寄りを吸収するためのバッファ機能を有する。排紙調整部４００は、装置本体１Ａと巻取り装置５００の間の微小な速度差および寄りを吸収する為のバッファ機能を有する。なお、装置本体１Ａと巻取り装置５００との間などに、ロール紙の断裁を行う断裁部を設置するようにしてもよく、オフラインで断裁部による断裁を行うようにしてもよい。
【００３１】
巻取り装置５００は、排紙したロール紙を巻き取って保持する機能を有する。
読取装置６００は、用紙を搬送しつつ測色計６０によって測色を行う。測色計６０には、分光測色計を用いることができ、また、読取装置６００は、ラインセンサーなどによって画像読み取りを行うものであってもよい。要は、検知画像を読み取って読取結果を得ることができるものであればよい。読取装置６００の読取結果は、画像形成装置１で取得されて画像形成の調整にフィードバックに利用することができる。読取結果は、ネットワークやシリアル通信などを介して画像形成装置１に送信されるものであってもよく、着脱可能な記憶部を通して読取結果を画像形成装置１で取得可能とするものであってもよい。また、本願発明では、読取結果を画像形成装置１にフィードバックすることが必ず必要とされるものではない。
【００３２】
画像形成装置１は、用紙に画像を形成する画像形成部１３を装置本体１Ａ内に有しており、装置本体１Ａ上部には、操作者の操作を受けるとともに、情報を表示する操作部１４０を有している。操作部１４０は、操作を行う入力部と表示を行う表示部とが別体で構成されていてもよく、タッチパネルＬＣＤなどのように入力部と表示部とが一体に構成されているものであってもよい。画像形成装置本体１Ａには制御部１００を有している。
【００３３】
画像形成装置１は、給紙装置２００から給紙調整部３００、画像形成部１３に至り、さらに画像形成部１３から排紙調整部４００、巻取り装置５００に至る搬送路２２を有している。
搬送路２２では、給紙装置２００に収容されているロール紙Ｓが給紙される。
この実施形態では、搬送路２２や、搬送ローラー、回転駆動されるローラーを駆動する図示しないモータなどによって搬送部が構成される。
【００３４】
画像形成部１３では、各色（シアン、マゼンタ、イエロー、ブラックなど）用にそれぞれ用意された感光体１５を有し、各感光体の周線部に図示しない帯電器、書き込み部および現像ユニットが配設されていている。帯電器によって帯電した感光体表面は、画像メモリなどに記録された原稿の画像情報に基づいて、ＬＤなどの書き込み部により像露光が行われ、感光体１５表面には潜像が形成される。潜像は現像ユニットによって現像がなされてトナー像となる。トナー像は、中間転写ベルト１６に転写され、中間転写ベルト１６の画像は、二次転写ローラー１８を通して、搬送路２２で搬送されロール紙Ｓに転写される。なお、本発明としては、各色用に感光体を有し、中間転写ベルトを有するカラー画像形成装置について説明を行ったが、本発明としては、画像形成装置は、モノクロ画像形成装置からなるものであってもよい。
画像形成部１３でロール紙に画像が転写されると、定着部１９で熱と圧力とを加えることにより画像が定着され、ロール紙の搬送とともに装置本体１Ａ外に排出される。装置本体１Ａ外に排出されたロール紙の一部は、排紙調整部４００を経て巻取り装置５００でロール状に順次巻き取られる。
【００３５】
次に、画像形成装置１における機能的な説明を図２のブロック図に基づいて行う。
画像形成装置１は、主要な構成として、制御ブロック１１０とスキャナー部１３０と操作部１４０とプリンター部１５０とを有するデジタルコピアと、ネットワーク２を通して管理装置３との間で入出力される画像データーを処理する画像処理部（プリント＆スキャナーコントローラー）１６０とを備えている。
【００３６】
制御ブロック１１０はＰＣＩバス１１２を有しており、ＰＣＩバス１１２は制御ブロック１１０内でＤＲＡＭ制御ＩＣ１１１に接続されている。また、ＰＣＩバス１１２には、コントローラーＩＣ１１８を介してＨＤＤ１１９が接続されている。ＨＤＤ１１９では、画像データーの格納などをすることができる。
【００３７】
さらに制御ブロック１１０には、制御ＣＰＵ１１３を備えており、該制御ＣＰＵ１１３に前記ＤＲＡＭ制御ＩＣ１１１が接続されている。また、制御ＣＰＵ１１３には、不揮発メモリ１１５が接続されている。該不揮発メモリ１１５には、上記制御ＣＰＵ１１３で実行されるプログラムや画像形成装置１の設定データー、プロセス制御パラメーター、マーク画像を形成する際の所定距離の設定値などが格納されている。なお、所定距離の設定値を測色計に合わせて複数有するものであってもよい。
制御ＣＰＵ１１３は、プログラムの実行によって画像形成装置１の全体を制御し、また画像形成装置１全体の状態把握を行うものであり、ロール紙の搬送制御、画像形成制御などを行う。すなわち、制御ＣＰＵ１１３と制御ＣＰＵ１１３で動作するプログラムとは、本発明の制御部１００を構成する。
制御ＣＰＵ１１３には、ＲＴＣ（日時データー発生装置）１２５が接続されており、日時データーを制御ＣＰＵ１１３に送信することができる。
【００３８】
前記スキャナー部１３０は、光学読み取りを行うＣＣＤ１３１と、スキャナー部１３０全体の制御を行うスキャナー制御部１３２とを備えている。スキャナー制御部１３２は、前記制御ＣＰＵ１１３とシリアル通信可能に接続されており、制御ＣＰＵ１１３による制御を受ける。なお、スキャナー制御部１３２は、ＣＰＵやこれを動作させるプログラムなどによって構成することができる。前記ＣＣＤ１３１で読み取った画像データーは、読み取り処理部１１６でデーター処理がなされる。読み取り処理部１１６はＤＲＡＭ制御ＩＣ１１１に接続されている。
【００３９】
操作部１４０は、タッチパネル式のＬＣＤ１４１と、操作部制御部１４２とを備えており、上記ＬＣＤ１４１と操作部制御部１４２とが接続され、該操作部制御部１４２と前記制御ＣＰＵ１１３とがシリアル通信可能に接続されている。該構成によって操作部１４０の制御が制御ＣＰＵ１１３によって行われる。なお、操作部制御部１４２は、ＣＰＵやこれを動作させるプログラムなどによって構成することができる。
操作部１４０では、装置本体１Ａ、給紙装置２００に対する各種の設定を行い、設定に基づいて制御部によって画像形成とロール紙の搬送が制御される。
【００４０】
操作部１４０では、画像形成装置１における設定や動作指令などの動作制御条件の入力が可能となっており、さらに設定内容、機械状態、情報の表示等が可能になっており、上記制御ＣＰＵ１１３により制御される。この操作部１４０によって、所定の操作などを行うことができる。例えば、制御ＣＰＵ１１３で実行されるマーク画像の所定距離の設定や余白長さの設定などを行うことができる。
【００４１】
また、ＤＲＡＭ制御ＩＣ１１１は、圧縮メモリ１２１とページメモリ１２２とからなる画像メモリ１２０に接続されている。該画像メモリ１２０には、前記スキャナー部１３０で取得した画像データーやネットワーク２を通して取得した画像データーが格納される。上記のように画像メモリ１２０は、画像データーの記憶領域であり、印刷するジョブの画像データーを格納する。また、上記ＤＲＡＭ制御ＩＣ１１１によって複数のジョブに関する画像データーを画像メモリ１２０に記憶させることができる。すなわち、画像メモリ１２０には予約されたジョブの画像データーの格納も可能である。また、画像データーは、ＨＤＤ１１９に格納することもできる。
【００４２】
ＤＲＡＭ制御ＩＣ１１１には、画像データーを圧縮し、または圧縮したデーターを伸長する圧縮／伸長ＩＣ１１７が接続されている。ＤＲＡＭ制御ＩＣ１１１には書き込み処理部１２３が接続されている。該書き込み処理部１２３は、プリンター部１５０のＬＤ１５４Ａに接続され、該ＬＤ１５４Ａの動作に用いられるデーターの処理を行う。ＬＤ１５４Ａは、各色用のＬＤを総称するものである。また、プリンター部１５０は、画像形成部１３や搬送経路２２を含む搬送部を制御する。
【００４３】
プリンター部１５０には、プリンター部１５０全体を制御するプリンター制御部１５１を備えており、該プリンター制御部１５１は、前記した制御ＣＰＵ１１３に接続されて制御を受ける。すなわち、制御ＣＰＵ１１３から与えられるパラメーターに従い、プリント動作の開始／停止を行う。プリンター制御部１５１には、給紙装置２００のロール給紙制御部２１０や巻取り装置５００の巻取り制御部５１０が制御可能に接続されており、制御ＣＰＵ１１３の指令によってプリンター制御部１５１を介してロール紙の搬送や巻き取りの制御を行うことができる。
【００４４】
また、前記ＤＲＡＭ制御ＩＣ１１１に接続された前記ＰＣＩバス１１２には、前記した画像処理部（プリント＆スキャナーコントローラー）１６０のＤＲＡＭ制御ＩＣ１６１が接続されている。画像処理部（プリント＆スキャナーコントローラー）１６０では、ＤＲＡＭ制御ＩＣ１６１に画像メモリ１６２が接続されている。また、画像処理部（プリント＆スキャナーコントローラー）１６０では、前記ＤＲＡＭ制御ＩＣ１６１にコントローラー制御部１６３が接続されており、ＤＲＡＭ制御ＩＣ１６１に、ＬＡＮ制御部１６４、ＬＡＮインターフェース１６５が接続されている。ＬＡＮインターフェース１６５は、ネットワーク２に接続されている。
ネットワーク２には、管理装置３や他の画像形成装置４、５などが接続されており、画像形成装置１との間で画像データーの送受信を行うことができる。
【００４５】
さらに、制御ＣＰＵ１１３には、ＬＡＮ制御部１２７およびＬＡＮインターフェース１２８が接続されており、ＬＡＮインターフェース１２８には、前記したネットワーク２やその他のネットワークなどを接続することができる。ネットワーク２には、管理装置３などが接続されており、管理装置３は、管理制御部３０と管理操作部３１を有しており、管理制御部３０の動作によって、管理装置３全体を制御する。さらに管理制御部３０は、ＬＡＮインターフェース１２８を介して画像形成装置１を管理することができる。管理制御部３０は、ＣＰＵやこれを動作させるプログラム、記憶部などによって構成することができる。管理制御部３で画像形成装置１に対し、画像形成指示や画像形成位置の指示を行うことができるようにしてもよい。この場合、管理制御部３０は、本発明の制御部として機能する。また、管理操作部３１で、所定距離の設定を行う場合は、該管理操作部３１は本発明の操作部に相当することになる。なお、ネットワーク２は、さらにＷＡＮとして管理装置３などに接続されるものであってもよい。
【００４６】
次に、上記画像形成装置１の基本的動作について説明する。
先ず、画像形成装置１において画像データーを蓄積する手順について説明する。
スキャナー部１３０で原稿の画像を読み取り、画像データーを生成する場合、スキャナー部１３０において原稿からＣＣＤ１３１により原稿の画像を光学的に読み取る。この際には、制御ＣＰＵ１１３から指令を受けるスキャナー制御部１３２によってＣＣＤ１３１の動作制御を行う。ＣＣＤ１３１で読み取られた画像は、読み取り処理部１１６でデーター処理がなされ、データー処理された画像データーは、圧縮／伸長ＩＣ１１７において所定の方法によって圧縮され、ＤＲＡＭ制御ＩＣ１１１を介して圧縮メモリ１２１やＨＤＤ１１９に格納される。圧縮メモリ１２１やＨＤＤ１１９に格納された画像データーは、制御ＣＰＵ１１３によってジョブとして管理することができる。
【００４７】
画像データーを外部から取得する場合、例えば、管理装置３や他の画像形成装置４、５などからネットワーク２を通して送信される画像データーは、ＬＡＮインターフェース１６５、ＬＡＮ制御部１６４を介して、コントローラー制御部１６３で制御されるＤＲＡＭ制御ＩＣ１６１により画像メモリ１６２に格納される。画像メモリ１６２のデーターは、ＤＲＡＭ制御ＩＣ１６１、ＰＣＩバス１１２、ＤＲＡＭ制御ＩＣ１１１を介してページメモリ１２２に一旦格納される。ページメモリ１２２に格納されたデーターは、ＤＲＡＭ制御ＩＣ１１１を介して圧縮／伸長ＩＣ１１７に順次送られて圧縮処理され、ＤＲＡＭ制御ＩＣ１１１を介して圧縮メモリ１２１やＨＤＤ１１９に格納され、上記と同様に制御ＣＰＵ１１３による管理がなされる。
【００４８】
画像形成装置１で画像出力を行う場合、すなわち複写機やプリンターとして使用する場合、圧縮メモリ１２１やＨＤＤ１１９に格納された画像データーを、ＤＲＡＭ制御ＩＣ１１１を介して圧縮／伸長ＩＣ１１７に送出して、画像データーを展開し、その展開された画像データーを書き込み処理部１２３にて繰り返しＬＤ１５４Ａに展開することで、ロール紙Ｓに画像データーを印字することができる。
複写機として使用する場合、操作部１４０上で設定された印刷条件（プリントモード）等の情報を通知し、制御ＣＰＵ１１３で設定情報を作成する。作成された設定情報は制御ＣＰＵ１１３内のＲＡＭに格納することができる。検知画像の作成、通常印刷の指定もここで行う。
プリンターとして用いる場合、印刷条件は、管理装置３内のプリンタドライバで設定することができる。ここで設定された印刷条件は、画像と同様に（管理装置３→  ＬＡＮ  ＩＦ１６５→  画像メモリ１６２→  ＤＲＡＭ制御ＩＣ１６１（コントローラー）→  ＤＲＡＭ制御ＩＣ１１１（本体）→  ページメモリ１２２に格納される。
【００４９】
また、プリンター部１５０では、制御ＣＰＵ１１３の指令を受けたプリンター制御部１５１によって各部の制御が行われる。
画像形成装置１で画像出力を行う場合、印刷条件を操作部１４０を通して設定し、この設定によって制御ＣＰＵ１１３では印刷の制御を行うことができる。印刷条件には、余白の設定を含むことができる。画像形成部１３では各感光体１５に書き込まれたトナー像が中間転写ベルト１６に転写された後、二次転写ロール１８によって給紙装置２００によって供給されるロール紙Ｓに転写され、定着部１９で定着される。画像形成がなされた用紙は、搬送路２２によって排紙調整部４００へと搬送され、さらに下流側の巻取り装置５００でロールに巻き取られて保持される。複数の予約ジョブがある場合、上記画像出力が設定順番に従って順次行われる。
【００５０】
次に、ロール紙Ｓに検知画像として測色チャート画像を形成する例を図３に基づいて説明する。この例では、搬送方向先端側に測色チャートの読取開始位置を示す、主走査方向に沿った開始チャート帯Ｃ１０を有し、その後に、イエローで主走査方向の画面領域全体に伸長する測色チャート帯と、マゼンタで主走査方向の画面領域全体に伸長する測色チャート帯が、順次濃度を下げて副走査方向に並んで形成され、最低濃度の測色チャート帯から再び再度最大濃度の測色チャート帯から順次濃度を下げた一群の測色チャート帯群Ｃ１１が形成されている。開始チャート帯Ｃ１０および測色チャート帯群Ｃ１１が測色チャートになり、その画像が本実施形態では検知画像に相当する。主走査方向の余白には、チャート形成位置マークＰがそれぞれのチャートに合わせて形成されている。
【００５１】
そして、印刷された測色チャートは、外部の測色計６０で読み取るため、測色チャートの一群毎にロール紙をはさみ等で切断する。測色計６０は、開始チャート帯Ｃ１０（黒線部分）を読み取り開始位置として検知して、測色を行う。
この例では、読取装置６００の仕様によって開始チャート帯Ｃ１０の搬送方向先端側の位置に対し、搬送方向前方に８ｃｍ以内の余白となるように、切り取りが行われる必要がある。測色装置６００では、ロール紙の先端から８ｃｍ以内で測色計６０によってチャートを検知できないとエラーとなる。なお、読取装置の種別によっては、この距離が変わってくることがある。
【００５２】
図４は、二つの測色チャートのページが余白を有して続けて形成された例を示している。二つ目の測色チャートでは、開始チャート帯Ｃ２０とシアンで主走査方向の画面領域全体に伸長する測色チャート帯と黒色で主走査方向の画面領域全体に伸長する測色チャート帯とが交互に次第に濃度を下げて副走査方向に並んで形成された測色チャート帯群Ｃ２１とからなっている。
二つ目の測色チャートにおいても、開始チャート帯Ｃ２０の搬送方向先端側の位置に対し、搬送方向前方に８ｃｍ以内で切り取りが行われる必要がある。
【００５３】
次に、本実施形態によってマーク画像をロール紙Ｓに形成する例を図５に基づいて説明する。
先ず、図５に示すように、切り取り線画像Ｌ０が用意される。切り取り線画像Ｌ０は、ロール紙Ｓの主走査方向の画像サイズと同じ主走査長を有している。
この例では、図６に示すように、開始チャート帯Ｃ１０の搬送方向先端よりも８ｃｍ以内にマーク画像として前記した切り取り線画像Ｌ０が印刷される。この際の８ｃｍ以内は、本発明の所定距離に相当する。切り取り線画像Ｌ０は、測色チャートを形成する画像の余白領域に上書きで合成されて印刷される。
なお、マーク画像は、線画像に限定されるものではない。以下も同様である。
【００５４】
また、連続する測色チャートについても図７に示すように、次の測色チャートの開始チャート帯Ｃ２０の搬送方向先端よりも８ｃｍ以内にマーク画像として切り取り線画像Ｌ１が主走査方向の画面領域全体に伸長して形成される。この際の８ｃｍ以内の距離も本発明の所定距離に相当する。切り取り線画像Ｌ１も測色チャートを形成する画像の余白領域に上書きで合成されて印刷される。開始チャート帯Ｃ２０の後方側に測色チャート帯群Ｃ２１が形成されている。
本実施形態では、検知画像の出力時に切り取り後の用紙先端からの余白量が測色計の許容範囲内に収まるように切り取りを指示するマークが印字されている。
これにより、ロール紙の測定用チャートを出力し切り取る際、切り取り後の用紙の余白量を考慮する手間を省いて、測色計の許容範囲内で切り取ることができる。以下の実施形態でも同様である。
【００５５】
また、切り取り線画像は測色チャート側には残らないように、切り取り線画像よりも測色チャート側で切り取りを行うことが必要になる。この点を注意する文字画像をロール紙に印刷することができる。
この例では、図８に示すように、文字付き切り取り線画像ＬＭ０を形成する。
文字付き切り取り線画像ＬＭ０は、切り取り線画像Ｌ０の位置よりも測色チャート側で切り取りをするよう注意を促す文字画像Ｍ０を有している。文字付き切り取り線画像ＬＭ０は、この実施形態では本発明のマーク画像に相当する。
【００５６】
図９に示すように、文字付き切り取り線画像ＬＭ０の切り取り線画像Ｌ０は、測色チャートの開始チャート帯Ｃ１０の搬送方向先端よりも８ｃｍ以内の距離で主走査方向の画面領域全体に伸長して形成される。
文字画像Ｍ０は、切り取り線画像Ｌ０よりも搬送方向前方側において副走査方向の余白領域に印刷する。これは、切り取った後に測色チャート側に文字画像Ｍ０が残ってしまうと、測色計が誤検知してしまう可能性があり、切り取りを指示する線は実際に沿って切るための切り取り線ではないことを注意するための処置である。
図９が、文字付き切り取り線画像ＬＭ０をロール紙に印刷した状態を示している。
【００５７】
また、連続する測色チャートにおいても、図１０に示すように、文字付き切り取り線画像ＬＭ１を用意し、次の測色チャートの開始チャート帯Ｃ２０の搬送方向先端よりも８ｃｍ以内に切り取り線画像Ｌ１を主走査方向の画面領域全体に伸長して形成し、その前方側に注意を促す文字画像Ｍ１を形成する。
【００５８】
次に、最初の測色チャートに対してのみ、マーク画像を形成する例を図１１〜１３に基づいて説明する。
測色チャートのページが連続する場合、最初の測色チャートのページでは、前記各実施形態と同様に開始チャート帯Ｃ１０の搬送方向先端よりも８ｃｍ以内にマーク画像として切り取り線画像Ｌ０が主走査方向の画面領域全体に伸長して形成される。
次の測色チャートでは、図１２に示すように、前のページの後端余白領域ＲＭと、次のページの測色チャートページの余白領域ＦＭと、ページ画像出力間隔ＰＩとを有している。
以降の測色チャートは用紙先端余白ＦＭと、前の測色チャート画像の後端余白ＲＭ、ページ画像出力間隔ＰＩとの合計値を測色チャート出力前に算出し、図１２に示すように、算出値が８ｃｍ以内の場合は、次の測色チャート画像はそのまま出力する。８ｃｍ以内は所定距離に相当する。
【００５９】
一方、図１３に示すように、この距離の合計値が８ｃｍを超えると、切り取り位置によって測色計でエラーが発生することがある。この合計値が、所定距離である８ｃｍ以内となるように、次の測色チャート画像の先端余白領域を削る形で測色チャート画像（チャート開始帯Ｃ２０および測色チャート帯群Ｃ２１）を搬送方向前方側にシフトさせて画像形成を行う。これにより、切り取りは余白の範囲内で行われるため、上記の設定では、必ず次の測色チャートと切り取り線との間の距離が８ｃｍ以内となる。以降の測色チャートでも同様である。
この例では、最初の測色チャート以外は、どこで切り取りを行っても８ｃｍ以内となるため、切り取りを指示する線が不要になる。最初の測色チャートは、出力前にヤレが発生するので必ず切り取り指示線の印字が必要になる。
【００６０】
なお、上記の各例では、測色チャートの画像ページに切り取り線に関する画像を重ね合わせて画像の形成を行ったが、副走査方向に余白領域を追加して、その余白領域に切り取り線画像を合成するように重ね合わせを行ってもよい。
図１４は、測色チャートの画像ページに８ｃｍ以内の余白領域ＡＤ０を追加し、この余白領域ＡＤ０に切り取り線画像Ｌ０を形成したものである。この例では、余白領域ＡＤ０において所定距離を満たしているので、余白領域ＡＤ０の副走査方向のいずれの位置に切り取り線画像を形成しても不具合はない。
【００６１】
図１４は、前の測色チャートの余白領域ＡＤ０と後の測色チャートの領域との間に８ｃｍ以内の余白領域を追加し、この余白領域ＡＤ０に切り取り線画像Ｌ０を形成したものである。この場合にも、切り取り線画像Ｌ０と開始チャート帯Ｃ１０との距離は必ず８ｃｍ以内となる。
また、連続する次の測色チャートのページでも、図１５に示すように、同様に次の測色チャートの搬送方向前方に、８ｃｍ以内の余白領域ＡＤ１を追加し、この余白領域ＡＤ１に切り取り線画像Ｌ１を形成する。
【００６２】
なお、上記の各例では、測色チャートの画像ページに切り取り線に関する画像を重ね合わせて画像の形成を行ったが、図１６に示すように、各色の測色チャート画像出力前に切り取り線画像ＬＰ０だけのページ画像を挿入して出力することができる。この例では、切り取り線画像ＬＰ０のページと測色チャートのページとの間のページ画像出力間隔ＰＩと測色チャート画像の先端余白領域ＦＭの合計値が８ｃｍ以内になるようにする必要がある。
【００６３】
測色チャート出力前に上記の合計値の算出を行い、８ｃｍを超えていた場合、測色チャート画像の先端余白領域を削る形で測色チャート画像をシフトさせる。８ｃｍ以内の場合は、次の測色チャート画像はそのまま出力する。
次の測色チャートにおいても、図１７に示すように、前の測色チャートの後に、切り取り線画像ＬＰ１のページを挿入し、切り取り線画像のページと測色チャートのページとの間のページ画像出力間隔と測色チャート画像の先端余白領域の合計値が８ｃｍ以内になるようにする。８ｃｍを超える場合は、上記と同様に、次の測色チャートの先端余白領域を削る形で測色チャート画像をシフトさせる。
【００６４】
なお、上記各例では、切り取り線画像は、主走査方向の画像領域全体に伸長させる画像としたが、例えば切り取りを指示するマーク画像を用紙先端の余白領域のうち、主走査方向の余白部分のみに印字するようにしてもよい。
はさみではなく、別の断裁機を用いて切る場合、主走査方向全てに線を印字する必要はなく、切るための起点だけあれば良いので、主走査端の部分だけ切り取りを指示するマークを印刷するようにしてもよい。
【００６５】
図１８は、最初の測色チャートで、主走査方向の左右の余白領域ＬＳ、ＲＳにのみ、開始チャート帯Ｃ１０に対し、８ｃｍ以内の距離で切り取り線画像ｌ１、ｌ２を形成したものである。図１９は、同じく、次の測色チャートにおいて、開始チャート帯Ｃ２０に対し、８ｃｍ以内の距離で、主走査方向の左右の余白領域ＬＳ、ＲＳにのみ、切り取り線画像ｌ１、ｌ２を形成したものである。なお、上記の例では、主走査方向の左右の余白領域に切り取り線画像を形成したが、左右のいずれか一方にのみ形成するものであってもよい。
【００６６】
なお、上記の各例では、マーク画像の所定距離が固定されているものとして説明したが、マーク画像の形成位置を調整可能にしてもよい。
図２０は、操作部１４０に描画されたマーク画像形成位置調整画面１４００を示すものである。
マーク画像形成位置調整画面１４００では、所定距離を設定するためのテンキー１４１０と、操作内容を説明するヘルプ表示部１４２０と、現在値表示欄１４３０とを有している。テンキー１４２０の入力値は、セット釦１４１５の押下によって現在値に反映される。設定値は、「印刷モードへ］釦１４４０を押下することで設定値が決定される。
例えば、テンキー１４１０で、＋５０と設定すると、切り取りを指示する線の副走査方向の印字位置を５０ｍｍ＝５ｃｍとして印字する。
なお、設定に際し、８ｃｍを最大値として、これを超える入力ができないようにしてもよい。
【００６７】
図２１は、マーク画像形成位置調整画面１４００で設定された値によって所定距離が決定されて切り取り線画像Ｌが形成されたロール紙Ｓを示すものである。例えば、図２０のマーク画像形成位置調整画面１４００で所定距離が５ｃｍに設定されると、この設定に従って、測色チャートの開始チャート帯Ｃ１０の搬送方向先端よりも５ｃｍの距離で切り取り線画像Ｌ０を主走査方向の画面領域全体に伸長して形成する。
次に測色チャートにおいても、図２２に示すように、次の測色チャートの開始チャート帯Ｃ２０の搬送方向先端よりも５ｃｍで切り取り線画像Ｌ１を主走査方向の画面領域全体に伸長して形成する。
【００６８】
次に、マーク画像を形成する手順の一例を図２３のフローチャートに基づいて説明する。以下の手順は制御部の制御によって実行される。なお、制御部は、画像形成装置に備えるものであってもよく、また、管理装置３に備えられるものであってもよい。以下のフローチャートにおいても同様である。
先ず、各測色チャート画像をページ単位で生成し（ステップｓ１）、ロール紙の主走査方向のサイズを取得する（ステップｓ２）。制御部では、ロール紙の主走査方向のサイズが把握されている。
次いで、取得した主走査サイズと同じ主走査サイズの切り取りを指示する線画像を生成し（ステップｓ３）、各測色チャートの読取開始位置から副走査方向位置を取得する（ステップｓ４）。読取開始位置は、制御部での画像形成制御によって把握されている。
次いで、各測色チャート画像に対して、取得した副走査位置から用紙先端の余白領域に対して、＋８ｃｍ（搬送方向前方）の位置に切り取り線を指示する線画像を印字し（ステップｓ５）、測色チャートジョブを出力し（ステップｓ６）、処理を終了する。
【００６９】
次に、注意文字を印刷する例を図２４のフローチャートに基づいて説明する。以下の手順は制御部の制御によって実行される。
先ず、各測色チャート画像をページ単位で生成し（ステップｓ１０）、ロール紙の主走査方向のサイズを取得する（ステップｓ１１）。制御部では、ロール紙の主走査方向のサイズが把握されている。
次いで、取得した主走査サイズと同じ主走査サイズの切り取りを指示する線画像と注意文字画像を生成し（ステップｓ１２）、各測色チャートの読取開始位置から副走査方向位置を取得する（ステップｓ１３）。読取開始位置は、制御部での画像形成制御によって把握されている。
次いで、各測色チャート画像に対して、取得した副走査位置から用紙先端の余白領域に対して、＋８ｃｍ（搬送方向前方）の位置に文字付の切り取り線を指示する線画像を印字し（ステップｓ１４）、測色チャートジョブを出力し（ステップｓ１５）、処理を終了する。
【００７０】
次に、最初の測色チャートに対してのみ切り取り線画像を形成する例を図２５のフローチャートに基づいて説明する。以下の手順は制御部の制御によって実行される。
先ず、各測色チャート画像をページ単位で生成し（ステップｓ２０）、ロール紙の主走査方向のサイズを取得する（ステップｓ２１）。制御部では、ロール紙の主走査方向のサイズが把握されている。
次いで、取得した主走査サイズと同じ主走査サイズの切り取りを指示する線画像を生成し（ステップｓ２２）、各測色チャートの読取開始位置から副走査方向位置を取得する（ステップｓ２３）。読取開始位置は、制御部での画像形成制御によって把握されている。
【００７１】
次いで、最初の測色チャートに対して、取得した副走査位置から用紙先端の余白領域に対して、＋８ｃｍ（搬送方向前方）の位置に切り取りを指示する線画像を上書き合成する（ステップｓ２４）。次に、最初の測色チャート画像の用紙後端および次の測色チャートの用紙先端の余白領域の副走査方向長さを取得する（ステップｓ２５）。取得した各副走査長とページ画像間隔（例えば１ｍｍ）を合計し（ステップｓ２６）、合計値が所定距離である８ｃｍ以内かを判定する（ステップｓ２７）。８ｃｍ以内であれば（ステップｓ２７、ＹＥＳ）、測色チャートジョブをそのまま出力し（ステップｓ２９）、処理を終了する。合計値が８ｃｍ以内でなければ（ステップｓ２７、ＮＯ）、次の測色チャート画像を、合計値から８ｃｍを超えた長さ分で用紙先端余白領域の副走査方向に画像シフトをする（ステップｓ２８）。その後、測色チャートジョブを出力し（ステップｓ２９）、処理を終了する。
【００７２】
次に、測色チャートに余白を追加して余白に切り取り線画像を合成する手順を図２６のフローチャートに基づいて説明する。以下の手順は制御部の制御によって実行される。
先ず、各測色チャート画像をページ単位で生成し（ステップｓ３０）、ロール紙の主走査方向のサイズを取得する（ステップｓ３１）。制御部では、ロール紙の主走査方向のサイズが把握されている。
次いで、取得した主走査サイズと同じ主走査サイズの切り取りを指示する線画像を生成し（ステップｓ３２）、各測色チャートの読取開始位置から副走査方向位置を取得する（ステップｓ３３）。読取開始位置は、制御部での画像形成制御によって把握されている。
【００７３】
次いで、各測色チャート画像に対して、取得した副走査位置から用紙先端の余白領域方向に対して＋８ｃｍ（搬送方向前方）の位置まで余白を追加する（ステップｓ３４）。追加した余白領域に、切り取りを指示する線画像を合成し（ステップｓ３５）、測色チャートジョブを出力し（ステップｓ３６）、処理を終了する。
【００７４】
次に、測色チャートに線画像ページを挿入する手順を図２７のフローチャートに基づいて説明する。以下の手順は制御部の制御によって実行される。
先ず、各測色チャート画像をページ単位で生成し（ステップｓ４０）、ロール紙の主走査方向のサイズを取得する（ステップｓ４１）。制御部では、ロール紙の主走査方向のサイズが把握されている。
次いで、取得した主走査サイズと同じ主走査サイズの切り取りを指示する線画像を生成し（ステップｓ４２）、生成した線画像ページを各測色チャート画像ページ前に挿入する（ステップｓ４３）。次に、各測色チャート画像の用紙先端余白領域の副走査長を取得し（ステップｓ４４）、測色チャート画像の用紙先端余白領域の副走査長とページ画像間隔（例えば１ｍｍ）を合計し（ステップｓ４５）、合計値が８ｃｍ以内かを判定する（ステップｓ４６）。８ｃｍ以内であれば（ステップｓ４６、ＹＥＳ）、測色チャートジョブを出力し（ステップｓ４８）、処理を終了する。合計値が８ｃｍ以内でなければ（ステップｓ４６、ＮＯ）、測色チャート画像を合計値から８ｃｍを超えた長さ分、用紙先端余白領域の副走査方向に画像シフトさせ（ステップｓ４７）、測色チャートジョブを出力し（ステップｓ４８）、処理を終了する。
【００７５】
次に、切り取り線画像を主走査方向の余白領域にのみ形成する手順を図２８のフローチャートに基づいて説明する。以下の手順は制御部の制御によって実行される。
先ず、各測色チャート画像をページ単位で生成し（ステップｓ５０）、ロール紙の主走査方向の余白領域サイズを左右で取得する（ステップｓ５１）。次いで、取得した左右の主走査サイズ余白領域と同じ主走査サイズの切り取りを指示する線画像を各々生成し（ステップｓ５２）、各測色チャート画像の読取開始位置の副走査長を取得し（ステップｓ５３）、各測色チャート画像に対して、取得した副走査位置から用紙先端の余白領域に対して＋８ｃｍの位置に切り取りを指示する線画像を左右それぞれに上書き合成し（ステップｓ５４）、測色チャートジョブを出力し（ステップｓ５５）、処理を終了する。
【００７６】
次に、操作画面で設定した設置によって切り取り線画像を形成する手順を図２９のフローチャートに基づいて説明する。以下の手順は制御部の制御によって実行される。
先ず、各測色チャート画像をページ単位で生成し（ステップｓ６０）、ロール紙の主走査方向のサイズを取得する（ステップｓ６１）。制御部では、ロール紙の主走査方向のサイズが把握されている。
次いで、取得した主走査サイズと同じ主走査サイズの切り取りを指示する線画像を生成し（ステップｓ６２）、各測色チャートの読取開始位置から副走査方向位置を取得する（ステップｓ６３）。読取開始位置は、制御部での画像形成制御によって把握されている。
次いで、各測色チャート画像に対して、取得した副走査位置から用紙先端の余白領域に対して、印字位置調整画面で設定した長さの位置に切り取り線を指示する線画像を印字し（ステップｓ６４）、測色チャートジョブを出力し（ステップｓ６５）、処理を終了する。
【００７７】
以上、本発明について上記実施形態に基づいて説明を行ったが、本発明の範囲を逸脱しない限りは、前記実施形態に対する内容を適宜変更することができる。
【符号の説明】
【００７８】
１    画像形成装置
２    ネットワーク
３    管理装置
１３    画像形成部
２２    搬送路
３０    管理制御部
３１    管理操作部
１００    制御部
１１３    制御ＣＰＵ
１４０    操作部
１４００  マーク画像形成位置調整画面
【図１】
0006540448.tif 000002
【図２】
0006540448.tif 000003
【図３】
0006540448.tif 000004
【図４】
0006540448.tif 000005
【図５】
0006540448.tif 000006
【図６】
0006540448.tif 000007
【図７】
0006540448.tif 000008
【図８】
0006540448.tif 000009
【図９】
0006540448.tif 000010
【図１０】
0006540448.tif 000011
【図１１】
0006540448.tif 000012
【図１２】
0006540448.tif 000013
【図１３】
0006540448.tif 000014
【図１４】
0006540448.tif 000015
【図１５】
0006540448.tif 000016
【図１６】
0006540448.tif 000017
【図１７】
0006540448.tif 000018
【図１８】
0006540448.tif 000019
【図１９】
0006540448.tif 000020
【図２０】
0006540448.tif 000021
【図２１】
0006540448.tif 000022
【図２２】
0006540448.tif 000023
【図２３】
0006540448.tif 000024
【図２４】
0006540448.tif 000025
【図２５】
0006540448.tif 000026
【図２６】
0006540448.tif 000027
【図２７】
0006540448.tif 000028
【図２８】
0006540448.tif 000029
【図２９】
0006540448.tif 000030